(57)【要約】【課題】メダル貯留部を上下に区画するための仕切板を抜き取ってもメダル貯留部に貯留してあるメダルが仕切板挿脱口から抜け落ちないようにする。【解決手段】仕切板挿脱口１５に挿脱口開閉手段１６を設けるようにした。挿脱口開閉手段１６は、左右一対の回動軸１９Ｌ、１９Ｒとホッパ６の減圧板２２の下部側に固定した左右一対の軸受部材２３Ｌ、２３Ｒとで垂直面内で回動可能にホッパ６に装着され、仕切板１４の後端部を傾斜面１７Ａに当接して図面右方向に移動させると仕切板１４を介して受ける力によって連結板部分２０が下方に撓んで蓋部分１７が押下され、それにより開口する仕切板挿脱口１５から仕切板１４が押入され、仕切板１４が仕切板挿脱口１５から抜脱されると、蓋部分１７は連結板部分２０の部分の弾性によりその上端が仕切板挿脱口１５の上縁１５Ａに下方から当接して仕切板挿脱口１５の中央部分を封止するように設けた。【選択図】      図２
2004350854.tif 000002
【特許請求の範囲】
【請求項１】
無底のタンクと上方が開口したホッパとが挿脱可能に設けられる仕切板を介して上下に設置され、ホッパ下部側開口に臨んで設置された送出手段によりタンク内のコイン状部材が仕切板抜脱時に送出されるコイン状部材送出装置において、タンクの前面壁下部側に仕切板の挿脱が可能な仕切板挿脱口を設けると共に、押下可能に上方に付勢されて非押下時には上端部が仕切板挿脱口の上縁に下方から当接して仕切板挿脱口を封止し、押下時には上端部が仕切板挿脱口の上縁から下方に離間して仕切板挿脱口を開口させる開閉手段を設けたことを特徴とするコイン状部材送出装置。
【請求項２】
仕切板挿脱口の前面側に仕切板挿脱方向に傾斜した傾斜面が設けられたことを特徴とする請求項１記載のコイン状部材送出装置。
【請求項３】
仕切板挿脱口を開閉する開閉手段がホッパ部に設けられたことを特徴とする請求項１または２記載のコイン状部材送出装置。
【発明の詳細な説明】
【０００１】
【発明の属する技術分野】
この発明は、貯留してあるコイン、遊技用メダルなどのコイン状部材を１枚づつに分離しながら送出する機構を持つコイン状部材送出装置に関する。
【０００２】
【従来の技術】
この種の装置としては、例えば図３、図４に示したように筐体１の内部に紙幣処理装置２、制御装置３、無底のタンク５、ホッパ６、メダル送出手段７などを備えた台間メダル貸機１００Ｘが周知である（例えば、特許文献１参照。）
【０００３】
なお、図中８、９、１０は、それぞれ筐体１の前面開口各部を開閉するための上部扉、中部扉、下部扉であり、１１は紙幣投入口、１２は表示部、１３はメダル取出用受皿、２ａ、９ａは錠、５Ａは前側減圧板、５Ｂは後側減圧板、９Ｂは中部扉９とでメダル補充の際のホッパを形成する側板である。また、２００は台間メダル貸機１００Ｘが併設される遊技機のスロットマシンである。
【０００４】
また、図５に示したように、主要部分が平板状に形成された仕切板１４の挿脱が可能な仕切板挿脱口１５をタンク５とホッパ６との間に設け、その仕切板挿脱口１５から仕切板１４を押入することでメダル貯留部４を構成するタンク５とホッパ６とを上下に区画すると共に、仕切板挿脱口１５から仕切板１４を抜脱したときには上下に配置したタンク５とホッパ６とが連通するように構成した台間メダル貸機１００Ｙも周知である。
【０００５】
この台間メダル貸機１００Ｙにおいては、前記した台間メダル貸機１００Ｘと違って、仕切板挿脱口１５から押入する仕切板１４によりメダル貯留部４が仕切板１４の上下、すなわちタンク５とホッパ６とに区画され、タンク５内の図示しない多数のメダルを仕切板１４により受け止めることができる。
【０００６】
そのため、メダル送出手段７が故障したようなときには、タンク５内に多量のメダルが残されたままであっても、力の弱い人でもホッパ６を備えたメダル送出手段７を筐体１から簡単に取り出すことができる。また、ホッパ６付きメダル送出手段７を筐体１から取り出しても、タンク５内のメダルが落下して散乱することはない。
【０００７】
また、図６に示したように、紙幣処理装置２に代えてカード処理装置２Ａを筐体１内に設置し、カード処理装置２Ａのカード挿入口に正規のプリペイドカード・会員カードなどが提示されたときに、メダル送出手段７を起動してメダル取出受皿１３に所要の枚数のメダルを送出するように構成した台間メダル貸機１００Ｚも周知である（例えば、特許文献２参照。）
【０００８】
【特許文献１】
特開２０００−２１８０２７（図１、図２他）。
【特許文献２】
特開２００２−４５５６１（図１他）。
【０００９】
【発明が解決しようとする課題】
タンク内にコインやメダルなどのコイン状部材が多量に残っていても、メダル送出手段が故障などしたときにはそれを簡単に取り出すことができるようにした図５に示す構成のコイン状部材送出装置においては、タンク内に貯留してあるコイン状部材が仕切板挿脱口から抜け落ちることがあると云った不都合があった。
【００１０】
すなわち、仕切板が仕切板挿脱口から抜き取られると、タンク下部側、ホッパなどの前面側を下部扉により遮蔽しても、仕切板挿脱口は開口したままであるので、装着時にコイン状部材の重さによって撓むことがないように、仕切板を例えば１．２〜２．０ｍｍの鋼板により作製すると、それより薄いコインや遊技用のメダルは仕切板挿脱口から抜け落ちることがあったため、そのような不都合のないコイン状部材送出装置を提供する必要があり、それが解決すべき課題となっていた。
【００１１】
【課題を解決するための手段】
本発明は、上記従来技術の課題を解決するため、無底のタンクと上方が開口したホッパとが挿脱可能に設けられる仕切板を介して上下に設置され、ホッパ下部側開口に臨んで設置された送出手段によりタンク内のコイン状部材が仕切板抜脱時に送出されるコイン状部材送出装置において、タンクの前面壁下部側に仕切板の挿脱が可能な仕切板挿脱口を設けると共に、押下可能に上方に付勢されて非押下時には上端部が仕切板挿脱口の上縁に下方から当接して仕切板挿脱口を封止し、押下時には上端部が仕切板挿脱口の上縁から下方に離間して仕切板挿脱口を開口させる開閉手段を設けるようにした第１の構成のコイン状部材送出装置と、
【００１２】
前記第１の構成のコイン状部材送出装置において、仕切板挿脱口の前面側に仕切板挿脱方向に傾斜した傾斜面を設けるようにした第２の構成のコイン状部材送出装置と、
【００１３】
前記第１または第２の構成のコイン状部材送出装置において、仕切板挿脱口を開閉する開閉手段をホッパ部に設けるようにした第３の構成のコイン状部材送出装置と、
を提供するものである。
【００１４】
【発明の実施の形態】
以下、本発明の一実施形態を、主にスロットマシン同士の間に設置されて使用される台間メダル貸機を例に挙げて説明する。なお、理解を容易にするため、本発明の一実施形態を示す図１、図２においても、前記図３〜図６において説明した部分と同様の機能を有する部分には、同一の符号を付した。
【００１５】
図１に示した本発明の台間メダル貸機１００においても、例えば鋼板製の筐体１の内部に紙幣処理装置２、制御装置３、メダル貯留部４を構成する無底のタンク５とホッパ６、メダル送出手段７などが備えられている。
【００１６】
なお、紙幣処理装置２はカード処理装置２Ａにより代替されても良いし、カード処理装置２Ａと併用することも可能である。また、メダル送出手段７はホッパ６の傾斜壁などにより囲繞形成された下部側開口に臨んで設置され、メダル貯留部４に貯留する図示しないメダルを最後の１枚まで残らず計数して送出することができるように構成されている。
【００１７】
そして、本発明の台間メダル貸機１００においては、図１に示したように仕切板挿脱口１５に挿脱口開閉手段１６を備えている。挿脱口開閉手段１６は、例えば図２に示したように、左右方向に起立状態に延設された蓋部分１７と、その蓋部分１７の下端部の左右両側から前方に延設された左右一対の連結腕部分１８Ｌ、１８Ｒと、各連結腕部分１８Ｌ、１８Ｒの前端外面側に設けられた左右一対の回動軸１９Ｌ、１９Ｒと、蓋部分１７の下端中央部分から前方に左右一対の回動軸１９Ｌ、１９Ｒを超えて延設された連結板部分２０の前端部に起立状態に設けられた回動阻止部分２１とを備えている。
【００１８】
また、挿脱口開閉手段１６は、左右一対の回動軸１９Ｌ、１９Ｒが、ホッパ６内の前部側に傾斜して設けられた減圧板２２の下部側に固定された左右一対の軸受部材２３Ｌ、２３Ｒに穿設された軸穴２４Ｌ、２４Ｌ（図２においては右側の軸受部材２３Ｒ、軸穴２４Ｒは図示せず）により軸支されて、垂直面内で回動可能に装着されている。
【００１９】
なお、左右一対の軸受部材２３Ｌ、２３Ｒに軸支されて装着された挿脱口開閉手段１６は、回動阻止部分２１の上端が減圧板２２の裏面に下方から当接し、蓋部分１７の上端が減圧板２２に開設された挿入穴２５を下方から上方に突き抜けて仕切板挿脱口１５の上縁１５Ａに下方から当接する寸法に作製されている。
【００２０】
また、仕切板挿脱口１５から押入される仕切板１４の左右両端部をコ字状に受けて前後方向に案内するためのガイド部材２６が設けられているタンク５の左右の垂直側壁と（図２においては右側のガイド部材２６は図示せず）、挿脱口開閉手段１６の蓋部分１７とは、メダル貯留部４に貯留してメダル送出手段７により計数して送出する図示しないメダルの直径より接近して設けられている。
【００２１】
また、挿脱口開閉手段１６の蓋部分１７の前面上部側には、前後方向に傾斜した傾斜面１７Ａが設けられて、仕切板１４を後退、すなわち図面右方向に移動させたときに、挿脱口開閉手段１６により中央部分が封止されている仕切板挿脱口１５、およびガイド部材２６の溝部２６Ａに、仕切板１４の後端部を上昇させながら案内することができるように構成されている。
【００２２】
したがって、仕切板１４の後端部を挿脱口開閉手段１６の蓋部分１７の傾斜面１７Ａに当てがい、仕切板１４に図１矢印方向の力を加えると、その力によって挿脱口開閉手段１６の連結板部分２０の部分が下方に撓んで蓋部分１７が押下され、それにより開口する仕切板挿脱口１５から仕切板１４が押入される。
【００２３】
一方、仕切板挿脱口１５から押入されてメダル貯留部４をタンク５とホッパ６とに区画している仕切板１４は、その前端側の掴部１４Ａを掴んで手前に引くことで、仕切板挿脱口１５から簡単に引き抜くことができる。仕切板１４が仕切板挿脱口１５から引き抜かれると、挿脱口開閉手段１６の連結板部分２０の部分の弾性により下方への撓みが解消されるので、蓋部分１７の上端が仕切板挿脱口１５の上縁１５Ａに下方から当接して仕切板挿脱口１５の中央部分は封止される。
【００２４】
すなわち、図１に例示した本発明の台間メダル貸機１００においては、メダル貯留部４を構成しているタンク５とホッパ６とは、仕切板挿脱口１５における挿脱口開閉手段１６の挿脱操作により、連通／区画が自在になされる。
【００２５】
しかも、仕切板挿脱口１５から仕切板１４を引き抜いたときには、連結板部分２０の部分の弾性作用により、挿脱口開閉手段１６の蓋部分１７の上端が仕切板挿脱口１５の上縁１５Ａに下方から当接して仕切板挿脱口１５の中央部分を封止し、仕切板挿脱口１５の左右両側の開口している部分の幅は、メダル貯留部４に貯留してメダル送出手段７により計数して送出するメダルの直径より狭いため、仕切板挿脱口１５からメダルが漏れ出ることはない。
【００２６】
なお、本発明は上記実施形態に限定されるものではないので、特許請求の範囲に記載の趣旨から逸脱しない範囲で各種の変形実施が可能である。
【００２７】
例えば、挿脱口開閉手段１６により中央部分が封止されている仕切板挿脱口１５とガイド部材２６の溝部２６Ａに仕切板１４の後端部を案内するための傾斜面１７Ａは、挿脱口開閉手段１６にはなくタンク５の側に設けられても良い。
【００２８】
その場合、傾斜面１７Ａは仕切板１４を後退させたときに、挿脱口開閉手段１６により中央部分が封止されている仕切板挿脱口１５、およびガイド部材２６の溝部２６Ａに、仕切板１４の後端部を下降させながら案内するように設ける。
【００２９】
また、減圧板２２は必ずしも設ける必要はない。その場合、挿脱口開閉手段１６は仕切板挿脱口１５から押入される仕切板１４を介して受ける力により蓋部分１７が押下可能な適宜の構成により装着されれば良い。
【００３０】
また、挿脱口開閉手段１６の蓋部分１７はメダル貯留部４の左右方向の全長に渡って設け、蓋部分１７の上端が仕切板挿脱口１５の上縁１５Ａに左右方向の全長に渡って下方から当接するように構成することも可能である。
【００３１】
また、上部扉８、中部扉９、下部扉１０などは、筐体１に特許文献１、２などと同様に装着されても良いし、他の適宜の方法により装着されても良い。
【００３２】
そして、本発明のコイン状部材送出装置が、銀行などの金融機関において使用するコイン計数装置として使用することができることは言うまでもない。
【００３３】
【発明の効果】
上記したように本発明のコイン状部材送出装置においては、仕切板が引き抜かれた仕切板挿脱口は開閉手段により封止されるので、メダル貯留部に貯留したメダルが仕切板挿脱口から漏れ出ることはない。
【図面の簡単な説明】
【図１】本発明のコイン状部材送出装置（台間メダル貸機）の説明図である。
【図２】図１に示した装置の要部の説明図であり、（Ａ）は一部を破断して示す説明図、（Ｂ）は挿脱口開閉手段の形状を示す説明図である。
【図３】従来技術を示す説明図である。
【図４】図３に示した装置の内部構造を示す説明図である。
【図５】他の従来技術を示す説明図である。
【図６】さらに他の従来技術を示す説明図である。
【符号の説明】
１  筐体
２  紙幣処理装置
２Ａ  カード処理装置
２ａ  錠
３  制御装置
４  メダル貯留部
５  タンク
５Ａ  前側減圧板
５Ｂ  後側減圧板
６  ホッパ
７  メダル送出手段
８  上部扉
９  中部扉
９ａ  錠
１０  下部扉
１１  紙幣投入口
１２  表示部
１３  メダル取出用受皿
１４  仕切板
１４Ａ  掴部
１５  仕切板挿脱口
１５Ａ  上縁
１６  挿脱口開閉手段
１７  蓋部分
１７Ａ  傾斜面
１８Ｌ、１８Ｒ  連結腕部分
１９Ｌ、１９Ｒ  回動軸
２０  連結板部分
２１  回動阻止部分
２２  減圧板
２３Ｌ、２３Ｒ  軸受部材
２４Ｌ、２４Ｒ  軸穴
２５  挿入穴
２６  ガイド部材
２６Ａ  溝部
１００、１００Ｘ、１００Ｙ、１００Ｚ  台間メダル貸機
２００  スロットマシン
【図１】
2004350854.tif 000003
【図２】
2004350854.tif 000004
【図３】
2004350854.tif 000005
【図４】
2004350854.tif 000006
【図５】
2004350854.tif 000007
【図６】
2004350854.tif 000008